(57)【要約】      （修正有）【課題】  従来の車内放送システムを改良し優先席注意放送兼用として使用する。【解決手段】  携帯電話２からの送信電波を受信アンテナ４が捕らえて出力する携帯電話検知出力手段により動作する携帯電話の取扱い注意放送の音源１（１５）と乗客が任意に操作できる押釦３の出力手段により動作する優先席注意放送の音源２（１６）とを備えた優先席注意放送装置１において、乗客が押釦を操作した場合は音源２の放送を優先席スピーカ５から放送し、一方受信アンテナが携帯電話の電波を受信した場合は特に指定された列車内の優先席付近や携帯電話の取扱いが禁止されている付近に携帯電話があると判定しかつ乗客の押釦操作に優先して音源１の放送を優先席スピーカから放送し、更に車内放送装置が動作した場合は車内放送装置を動作する放送制御線２６からの放送制御線出力手段により優先席スピーカを車内放送装置の車内スピーカ２４側に接続変えする。【選択図】図２
2008097177.tif 000002
【特許請求の範囲】
【請求項１】
車内放送装置が設備された列車・電車・モノレールなど鉄道車両の指定された列車内の優先席付近や、携帯電話の取扱いが禁止されている付近に携帯電話の送信電波を検知する受信アンテナ及び乗客が任意に操作できる押釦を備え、前記携帯電話からの送信電波を受信アンテナが捕らえて出力する携帯電話検知出力手段により動作する携帯電話の取扱い注意放送の音源１と前記乗客が任意に操作できる押釦の出力手段により動作する優先席注意放送の音源２を備えた優先席注意放送装置において、乗客が押釦を操作した場合は音源２の放送を優先席スピーカから放送し、一方受信アンテナが携帯電話の電波を受信した場合は特に指定された列車内の優先席付近や携帯電話の取扱いが禁止されている付近に携帯電話があると判定し、かつ乗客の押釦操作に優先して音源１の放送を優先席スピーカから放送し、更に車内放送装置が動作した場合は車内放送装置を動作する放送制御線からの放送制御線出力手段により、優先席スピーカを車内放送装置の車内スピーカ側に接続変えすることを特徴とした鉄道車両用の優先席注意放送装置。
【請求項２】
請求項１記載の鉄道車両の優先席注意放送装置において、携帯電話検知出力手段により動作する音源１は携帯電話からの送信電波を受信アンテナが検知している間は数秒間隔単位で自動的に携帯電話の取扱いの注意放送を繰り返し行い受信アンテナが検知を停止した後、直ちに放送を停止することを特徴とした請求項１記載の鉄道車両用の優先席注意放送装置。
【請求項３】
請求項１記載の鉄道車両の優先席注意放送装置において、列車・電車・モノレールなど鉄道車両の指定された列車内の優先席付近や、携帯電話の取扱いが禁止されている付近に携帯電話の送信電波を検知する受信アンテナの配置が列車長手方向の左右座席・ドアー側から列車貫通路に向かって、それぞれ２個の指向性受信アンテナをクロス状に配置することを特徴とした請求項１記載の鉄道車両用の優先席注意放送装置。
【請求項４】
請求項１記載の鉄道車両の優先席注意放送装置において、乗客が任意に操作できる押釦により動作する音源２の放送は押釦が押されてから数秒から数十秒程度の時間を経過してから動作し、かつ優先席付近に少なくとも２個以上を列車の進行方向の座席両側に対角的に配置することを特徴とした請求項１及び３記載の鉄道車両用の優先席注意放送装置。
【請求項５】
請求項１記載の鉄道車両の優先席注意放送装置において、携帯電話が通話中に発する電波の磁界を検知して動作することを特徴とした請求項１及から４記載の鉄道車両用の優先席注意放送装置。                                              
【発明の詳細な説明】
【技術分野】
【０００１】
本発明は列車・電車・モノレールなどの移動車両内において、特に指定された優先席付近や携帯電話の取扱いが禁止されている付近で使用される携帯電話の取扱者に対する注意放送に関するものである。
【背景技術】
【０００２】
携帯電話や無線機等の電波を感知して警告等を表示又は警報などを発する装置は、例えば特開平１０−２２２１０８等が公開されているが、鉄道にあっては特に指定された優先席付近や携帯電話の取扱いが禁止されている付近で使用される携帯電話取扱者に対する使用注意は、車内放送装置からのマイク放送又は自動放送装置からの取扱い注意放送などで直接携帯電話の取扱いには関係なく義務的に放送されているのが実情である。特に、優先席付近で携帯電話を取扱いされた場合には、携帯電話の受信範囲を特定してタイミング良く携帯電話を使用した乗客に対して注意放送をすることや列車内で特に指定された優先席に席を譲るべき健康者に対し、タイミング良く優先席への注意放送を行う設備がなく優先席付近に携帯電話の使用禁止マークや優先席マーク（ステッカー）などを貼って注意を促すのが現状であり、それがために乗客や事業者から早期の開発が望まれていた。
【特許文献１】特開平１０−２２２１０８号の公開公報  この発明は、人が多く集まり又は静かにする必要がある場所（学校・レストラン・劇場・セミナー会場等）やＥＭＩ（電磁干渉）が懸念される場所（病院等）において、携帯電話や無線機等の通話者に対し、その区域での使用禁止又は制限の警告等を促すために携帯電話や無線機等の送受信に反応して、前記警告等を表示する又は警報等を発する電波感知警告装置に関するものであり、その課題は携帯電話や無線機等の電波を感知して、通話者に注意を再喚起するところにある。具体的には図４と図５とに示すように、その解決手段は電波４２を受信するアンテナ４８と、前記受信電波４２を検波して増幅信号を出力する電波処理部４７と、前記増幅信号と所定閾値との比較により携帯電話や無線機等の送受信が確認された場合に作動信号を出力する電波判定部５０と、前記作動信号により作動を開始して表示信号を出力する警告制御部５１と、前記表示信号を受けて警告等を点灯表示する表示板５２又は警報等を発する報知部６１と、各部の電源５４とから構成される電波感知警告装置４１であり、表示板５２には予め警告等を促す文字４６とマーク４３又はデザインを施しておき点灯表示により、特定の文字とマーク４３又はデザインのみをハイライト表示にし電波判定部５０には作動信号の外部との入出力端子５９を備えることで解決することになっている。
【０００３】
このように構成されることによって、まず通常の警告等を促す標識又は看板として携帯電話や無線機等の使用禁止又は制限を通知し、次に感知対象となる電波を感知すると直ちに警告等を点灯表示したり又は警報を発することで通話者の視覚又は聴覚に訴えて改めて注意を再喚起するという２段構えの手段とにより、より確実な携帯電話や無線機等の使用禁止又は制限を実現することは可能であるが、この警告装置は一般的な警告システムであってこのシステムをそのまま鉄道車両用の放送システムに組み込むことは前記増巾信号と所定閾値との比較だけでは携帯電話の受信範囲を特定することが難しく不可能である。
【発明の開示】
【発明が解決しようとする課題】
【０００４】
かかる従来方法では、携帯電話を使用したと同時刻にタイミング良く放送があった場合は効果があったとしても、ただ義務的に流される放送は無視されることが多く優先席付近又は携帯電話の取扱いが禁止されている付近で携帯電話の受信範囲を特定して携帯電話の送信電波を受信アンテナが検知したら携帯電話の取扱い注意放送を行い、一方優先席付付近で優先席を必要としている人がいれば乗客が任意に操作できる押釦操作により、優先席への注意放送をタイミング良く放送を行うところに本発明の解決課題を有する。
【課題を解決するための手段】
【０００５】
本発明は、車内放送装置が設備された列車・電車・モノレールなど鉄道車両の指定された列車内の優先席付近や携帯電話の取扱いが禁止されている付近に携帯電話の送信電波を検知する受信アンテナ及び乗客が任意に操作できる押釦を備え、前記携帯電話からの送信電波を受信アンテナが捕らえて出力する携帯電話検知出力手段により動作する携帯電話の取扱い注意放送の音源１と前記乗客が任意に操作できる押釦の出力手段により動作する優先席注意放送の音源２を備えた優先席注意放送装置において、乗客が押釦を操作した場合は音源２の放送を優先席スピーカから放送し、一方受信アンテナが携帯電話の電波を受信した場合は特に指定された列車内の優先席付近や携帯電話の取扱いが禁止されている付近に携帯電話があると判定し、かつ乗客の押釦操作に優先して音源１の放送を優先席スピーカから放送し、更に車内放送装置が動作した場合は車内放送装置を動作する放送制御線からの放送制御線出力手段により、優先席スピーカを車内放送装置の車内スピーカ側に接続変えすることを特徴とした鉄道車両用の優先席注意放送装置の提供にある。
【０００６】
また本発明は、前記の鉄道車両の優先席注意放送装置において携帯電話検知出力手段により動作する音源１は携帯電話からの送信電波を受信アンテナが検知している間は数秒間隔単位で自動的に携帯電話の取扱いの注意放送を繰り返し行い受信アンテナが検知を停止した後、直ちに放送を停止することを特徴とした鉄道車両用の優先席注意放送装置の提供にある。
【０００７】
また本発明は、前記の鉄道車両の優先席注意放送装置において乗客が任意に操作できる押釦により動作する音源２の放送は押釦が押されてから数秒から数十秒程度の時間を経過してから動作しかつ優先席付近に少なくとも２個以上を列車の進行方向の座席両側に対角的に配置することを特徴とした鉄道車両用の優先席注意放送装置の提供にある。
【０００８】
また本発明は、前記鉄道車両の指定された列車の優先席付近や、携帯電話の取扱いが禁止されている付近に送信電波を検知する受信アンテナの配置が、列車長手方向の左右座席・ドアー側から列車貫通路に向かって、それぞれ２個の指向性アンテナをクロス状に配置して携帯電話の受信範囲を特定することを特徴とした鉄道車両用の優先席注意放送装置の提供にある。
【０００９】
更に本発明は、前記の鉄道車両の優先席注意放送装置において携帯電話が通話中に発する電波の磁界を検知して動作することを特徴とした鉄道車両用の優先席注意放送装置の提供にある。
【発明の効果】
【００１０】
本発明は、車内放送装置が設備された列車・電車・モノレールなど鉄道車両の指定された列車内の優先席付近や携帯電話の取扱いが禁止されている付近に携帯電話の送信電波を検知する受信アンテナ及び乗客が任意に操作できる押釦を備え、前記携帯電話からの送信電波を受信アンテナが捕らえて出力する携帯電話検知出力手段により動作する携帯電話の取扱い注意放送の音源１と前記乗客が任意に操作できる押釦の出力手段により動作する優先席注意放送の音源２を備えた優先席注意放送装置において、乗客が押釦を操作した場合は音源２の放送を優先席スピーカから放送し、一方受信アンテナが携帯電話の電波を受信した場合は特に指定された列車内の優先席付近や携帯電話の取扱いが禁止されている付近に携帯電話があると判定し、かつ乗客の押釦操作に優先して音源１の放送を優先席スピーカから放送し、更に車内放送装置が動作した場合は車内放送装置を動作する放送制御線からの放送制御線出力手段により、優先席スピーカを車内放送装置の車内スピーカ側に接続変えすることを特徴とした鉄道車両用の優先席注意放送装置であり、また携帯電話検知出力手段により動作する音源１は携帯電話からの送信電波を受信アンテナが検知している間は数秒間隔単位で自動的に携帯電話の取扱いの注意放送を繰り返し行い受信アンテナが検知を停止した後は直ちに放送を停止することを特徴とした鉄道車両用の優先席注意放送装置であり、また前記の鉄道車両の優先席注意放送装置において列車・電車・モノレールなど鉄道車両の指定された列車内の優先席付近や携帯電話の取扱いが禁止されている付近に携帯電話の送信電波を検知する受信アンテナの配置が列車長手方向の左右座席・ドアー側から列車貫通路に向かって、それぞれ２個の指向性受信アンテナをクロス状に配置して携帯電話の受信範囲を特定することを特徴とした鉄道車両用の優先席注意放送装置であり、また前記放送装置において乗客が任意に操作できる押釦により動作する音源２の放送は押釦が押されてから数秒から数十秒程度の時間を経過してから動作しかつ優先席付近に少なくとも２個以上を列車の進行方向の座席両側に対角的に配置する鉄道車両用の優先席注意放送装置であるから、優先席付近又は携帯電話の取扱いが禁止されている付近で携帯電話の送信電波を受信アンテナが検知したら携帯電話の取扱い注意放送を行い、一方優先席付近で優先席を必要としている人がいれば、乗客が任意に操作できる押釦操作により優先席への注意放送をタイミング良く放送を行うことができる。なお、本発明は鉄道車両用に限定されているが、例えば病院などにも利用できるので広範囲の分野でも同様な効果が得られ又電波の検知に替えて携帯電話が通話中に発する磁界を検知しても同様な効果が得られる。
【発明を実施するための最良の形態】
【００１１】
本発明の最良な実施形態は、車内放送装置が設備された列車・電車・モノレールなど鉄道車両の指定された列車内の優先席付近や携帯電話の取扱いが禁止されている付近に携帯電話の送信電波を検知する受信アンテナ及び乗客が任意に操作できる押釦を備え、前記携帯電話からの送信電波を受信アンテナが捕らえて出力する携帯電話検知出力手段により動作する携帯電話の取扱い注意放送の音源１と前記乗客が任意に操作できる押釦の出力手段により動作する優先席注意放送の音源２を備えた優先席注意放送装置において、乗客が押釦を操作した場合は音源２の放送を優先席スピーカから放送し、一方受信アンテナが携帯電話の電波を受信した場合は特に指定された列車内の優先席付近や携帯電話の取り扱いが禁止されている付近に携帯電話があると判定し、かつ乗客の押釦操作に優先して音源１の放送を優先席スピーカから放送し、更に車内放送装置が動作した場合は車内放送装置を動作する放送制御線からの放送制御線出力手段により、優先席スピーカを車内放送装置の車内スピーカ側に接続変えすることを特徴とした鉄道車両用の優先席注意放送装置であるから、従来の鉄道車両用の優先席への注意放送装置では不可能・困難とされていた放送システムの改善が得られる。
また本発明の実施形態は、前記鉄道車両の優先席注意放送装置において携帯電話検知出力手段により動作する音源１は携帯電話からの送信電波を受信アンテナが検知している間は数秒間隔単位で自動的に携帯電話の取扱いの注意放送を繰り返し行い受信アンテナが検知を停止した後に直ちに放送を停止し、また前記鉄道車両の優先席注意放送装置において列車・電車・モノレールなど鉄道車両の指定された列車内の優先席付近や、携帯電話の取扱いが禁止されている付近に携帯電話の送信電波を検知する受信アンテナの配置が列車長手方向の左右座席・ドアー側から列車貫通路に向かって、それぞれ２個の指向性受信アンテナをクロス状に配置して携帯電話の受信範囲を特定し、更に乗客が任意に操作できる押釦により動作する音源２の放送は押釦が押されてから数秒から数十秒程度の時間を経過してから動作しかつ優先席付近に少なくとも２個以上を列車の進行方向の座席両側に対角的に配置することにより、押釦を押すことに勇気が必要とする人達に対しての配慮もでき、また従来の一般的な車内放送システムに付加設備を前提にしたシステムであるから、実施化においても何ら問題もなく簡単に利用することができる。
【実施例１】
【００１２】
以下、本発明の実施例について図面によって説明する。
【００１３】
図１は先頭車と中間車とからなる鉄道編成車両に装備される車内放送装置・自動放送装置に、本発明の優先席注意放送装置を付加設備したシステム系統図である。また、図２は本発明の優先席注意放送装置の構成ブロック図であり、図３は本発明の２個の指向性受信アンテナをクロス状に配置した指向性受信アンテナを示す配置図である。なお、本実施例は本発明の１実施例を示したものであって、これに限定されることなく他の実施例にも応用することができる。
【００１４】
まず、車内放送装置のマイクロホン２１の図示されないマイクロホン押釦スイッチが押されていない場合は、図２に示すように放送制御線２６から放送制御出力手段により出力増幅器２３には放送起動条件が与えられず、従って車内放送装置は動作しない状態の時に列車内の特に携帯電話の取り扱いが禁止されている優先席付近で不特定の乗客から携帯電話２が使われると、携帯電話２から発せられた電波ｆ１〜ｆ４内の１波（例えばｆ１：８００ＭＨｚ，ｆ２：１．５ＧＨｚ，ｆ３：２ＧＨｚ，ｆ４：ＰＨＳの１．９ＧＨｚ）は、優先席注意放送装置１の受信アンテナ４が検知し、携帯電話２からの電波は受信アンテナ４から帯域濾波器１１を経て受信器１２に入力される。受信器１２に入力された携帯電話２の受信電波は受信出力回路１３で検波され制御信号として２方向に分割される。一方は接続線３１で制御器１４に出力し、もう一方はリレー１７に与えられリレー１７の接点ａ・ｂは閉回路となる。前記接続線３１で制御器１４に入力された制御信号による携帯電話の検知出力手段により、制御器１４では音源発生器１５による音源１に対し放送内容及び繰り返し周期、放送間隔等を設定し接続線３５より音源発生器１５による音源１に起動条件を与える。接続線３５により起動条件が与えられた音源発生器１５による音源１からは、例えば制御器１４で繰り返し周期２回、放送と放送の間隔を５秒と設定すれば音源発生器１５による音源１は音源発生器１５による音源１の接続線３６からリレー１７の接点ｂ・ａを通り、リレー１８の接点ｃからａを経由して、優先席スピーカ５より例えば「優先席付近では携帯電話の電源をお切り下さい」を５秒置いて２回放送し、優先席付近で携帯電話を使用した乗客に対し注意を促すことができる。また、前記受信出力回路１３は受信器１２の受信レベルにより感度調整ができるようになっており、この感度調整で優先席付近のエリアの広さに応じて適宜エリア設定ができるようになっている。
【００１５】
また、優先席を必要とする乗客が優先席付近におり優先席を譲るべき健康な人が座っている場合のために手動押釦が優先席付近に２個設備されており、放送制御線２６に放送起動条件がなく更に携帯電話２からの送信電話を受信アンテナ４が検知していない状態の時、優先席注意放送装置１に附属して設備された２個の乗客が任意に操作できる手動押釦３の内の一方の手動押釦３−１が押されると、押釦の出力手段により手動押釦３−１に接続された接続線３２から制御器１４に音源発生器１６による音源２を動作させる起動条件が与えられる。その結果、押釦３−１から接続線３２を経て音源発生器１６による音源２を動作させる起動条件が与えられた制御器１４は、音源発生器１６による音源２に対し放送内容及び繰り返し周期、放送間隔等を設定し接続線３４より音源発生器１６による音源２に起動条件を与えることになる。そして、接続線３４により起動条件が与えられた音源発生器１６による音源２からは例えば制御器１４で繰り返し周期２回、放送と放送の間隔を１０秒と設定すれば、音源発生器１６による音源２の接続線３７からリレー１７の接点ｃ・ａを通り、リレー１８の接点ｃからａを経由して、優先席スピーカ５より例えば「おゆずり下さい。この席を必要としているお客様がいます。」を１０秒程度置いて２回放送し、優先席に座っている席を譲るべき乗客に対し協力を呼びけけることができる。
【００１６】
次に、乗務員が車内放送用のマイクロホン２１で図示されないマイクロホン押釦スイッチを押して車内放送を行っている時、優先席注意放送装置１が携帯電話２の電波を検知した場合を図１により説明すれば、乗務員がマイクロホン２１の図示されないマイクロホン押釦スイッチを押すと放送制御線２６が放送制御出力手段により加圧され各車両の出力増幅器２３が動作状態になると同時に、優先席注意放送装置１の制御リレー１８が同じく放送制手段により放送制御線２６が加圧されて、リレー１８の接点がｂ側になりマイクロホン２１からの放送音声は制御増幅器２２で増幅され、音声引き通し線２７を経由して出力増幅器２３で更に増幅された音声出力が車内スピーカ２４と制御リレー１８の接点ｂからａを経由して車内スピーカ２４と優先席スピーカ５からアナウンスされる。この時、優先席注意放送装置１の制御リレー１８の接点ｃは「断」となるので、優先席への注意放送は中断されて車内放送優先回路となる。また、前記制御リレー１８の接点ｃ・ａとの間に図示されない音量調整用の抵抗減衰器を挿入して優先席への注意放送の音量のみを車内放送の音量より下げてアナウンスさせても良い。なお、図示されない抵抗減衰器の抵抗値を変えることで車内放送の音量と、注意放送の音量とを任意に変えることができることは可能となる。また本発明の鉄道車両の優先席注意放送装置は列車・電車・モノレールなど鉄道車両の指定された列車内の優先席付近や、携帯電話の取扱いが禁止されている付近に携帯電話の送信電波を検知する受信アンテナの配置が列車長手方向の左右座席・ドアー側から列車貫通路に向かって、それぞれ２個の指向性受信アンテナをクロス状に配置されているので優先席付近又は携帯電話の取扱いが禁止されている付近の携帯電話の受信範囲を特定し、携帯電話の送信電波を受信アンテナが検知したら携帯電話の取扱い注意放送を行い、一方優先席付近で優先席を必要としている人がいれば、乗客が任意に操作できる押釦操作により優先席への注意放送をタイミング良く放送を行うことができる。
【００１７】
なお、具体的な作用効果としては次のようなことが考えられる。
ア、乗客が任意に操作できる押釦３は、例示では２個としたが優先席付近に少なくとも２  個以上を列車の進行方向の座席両側に対角的に配置することが望ましい。
イ、車内放送・自動放送による放送制御出力手段と携帯電話検知出力手段と乗客が任意に  操作できる押釦の出力手段との優先関係は、表１に示す如く優先順位代１位を車内放送  ・自動放送、第２位を携帯電話、第３位を乗客が任意に操作できる押釦とすることが望  ましい。
【００１８】
【表１】
2008097177.tif 000003
ウ、注意放送は、例えば音源１及び音源２の単独又は組み合わせにしても良く表示器を新  たに設備して注意放送と表示器を組み合わせれば効果は更に向上する。
エ、図３の如く列車貫通路側の優先席側面に電波吸収材を使用するか貼り付けると、優先  席付近の携帯電話信号禁止範囲は、より明確に設定できる。
オ、例示は、電波の受信としたが携帯電話が発する磁界を検知センサーとしても良い。
【図面の簡単な説明】
【００１９】
【図１】本発明の優先席注意放送装置を示したシステム系統図。
【図２】本発明の優先席注意放送装置を示した構成ブロック図。
【図３】本発明の指向性受信アンテナを示した配置図。
【図４】従来の電波感知警告装置を示した構成ブロック図。
【図５】従来の警告装置の一例を示した正面図。
【符号の説明】
【００２０】
１  優先席注意放送装置      ２  携帯電話
３  手動押釦                ４  受信アンテナ
５  優先席スピーカ          １１  帯域濾波器
１２  受信器                １３  受信出力回路
１４  制御器                １５  音源１
１６  音源２                １７、１８  リレー
２１  マイクロホン          ２２  制御増幅器
２３  出力増幅器            ２４  車内スピーカ
２５  自動放送装置          ２６  放送制御線
２７  音声引通線            ２８  自動放送起動条件
３１、３２、３３、３４、３５、３６、３７、３８  接続線
４１  電波感知警告装置      ４２  携帯電話の電波
４３  使用禁止マーク        ４５  パネル面
４６  警告文句              ４７  電波処理部
４８  内蔵アンテナ          ４９  各種電波
５０  電波判定部            ５１  警告制御部
５２  表示板                ５３  枠部材
５４  電源                  ５９  入出力端子
６１  報知部                ６２  スピーカ
６３  カウンタ
【図１】
2008097177.tif 000004
【図２】
2008097177.tif 000005
【図３】
2008097177.tif 000006
【図４】
2008097177.tif 000007
【図５】
2008097177.tif 000008